(57)【要約】【課題】隣り合う両開閉前面板の間に大きな隙間が形成されずに見栄えが良く、ホコリ等が溜まり難くて衛生的でもある把手を備え、この把手に支障なく指を引っ掛けることができるキャビネットを提供する。【解決手段】隣り合う対の開閉前面板３を有するキャビネットであって、この両開閉前面板３の互いに隣り合う両縁部から相互に対向するようにかつ近接するように突出片４を突出させ、一の突出片４がその先端部分を含む分離片５と固定片６とからなり、分離片５を後側に押して固定片６から分離させることにより、固定片６が把手となるようになした。【選択図】図１
2007195602.tif 000002
【特許請求の範囲】
【請求項１】
隣り合う対の開閉前面板を有するキャビネットであって、この両開閉前面板の互いに隣り合う両縁部から相互に対向するようにかつ近接するように突出片を突出させ、一の突出片がその先端部分を含む分離片と固定片とからなり、分離片を後側に押して固定片から分離させることにより、固定片が把手となるようになしたキャビネット。
【請求項２】
分離片が、開閉前面板の縁部を軸にして後側に回動して固定片から分離されるようになしたことを特徴とする請求項１記載のキャビネット。
【請求項３】
両開閉前面板が上下に隣り合っていることを特徴とする請求項１又は２記載のキャビネット。
【請求項４】
開閉前面板が引出しの前面板であることを特徴とする請求項１〜３のいずれか１項記載のキャビネット。
【請求項５】
両開閉前面板と両突出片とが各前側表面間で全て略面一に連続するよう構成したことを特徴とする請求項１〜４のいずれか１項記載のキャビネット。
【発明の詳細な説明】
【技術分野】
【０００１】
本願発明は、隣り合う対の扉板や引出しの前面板等である開閉前面板を有し、この開閉前面板の縁部に把手を設けたキャビネットに関するものである。
【背景技術】
【０００２】
従来から、特開２０００−９３２４３号公報（特許文献１）に示されるように、断面コ字状の把手部を設けた引出しは知られている。
【０００３】
この引出しには、図８に示すように、引出しの前面板の縁に沿って、断面コ字状の把手部９が設けられている。この把手部９の上横片１０の先端部には、指掛かり突起１１が突設してある。使用者はこの指掛かり突起１１に指を引っ掛けて、引出しを手前に引出す。このような把手部９や指掛かり突起１１を設けることで、使用者の引出しの引出し操作はより効率的になる。
【特許文献１】特開２０００−９３２４３号公報
【発明の開示】
【発明が解決しようとする課題】
【０００４】
しかしながら、特開２０００−９３２４３号公報に示される上記従来例の引出しにあっては、把手部９が断面コ字状であり、前面板に凹凸部が形成されてしまう。このため、外観を損なうこととなり、使用者に不満が生じていた。又、前面板に形成された凹部にホコリ等が溜まりやすく、外観を損なうと共に不衛生であるという問題も生じていた。
【０００５】
本願発明は上記背景技術に鑑みて発明されたものであり、その課題は、隣り合う両開閉前面板の間に大きな隙間が形成されずに見栄えが良く、ホコリ等が溜まり難くて衛生的でもある把手を備え、この把手に支障なく指を引っ掛けることができるキャビネットを提供することである。
【課題を解決するための手段】
【０００６】
上記課題を解決するために、本願請求項１記載の発明では、隣り合う対の開閉前面板を有するキャビネットであって、この両開閉前面板の互いに隣り合う両縁部から相互に対向するようにかつ近接するように突出片を突出させ、一の突出片がその先端部分を含む分離片と固定片とからなり、分離片を後側に押して固定片から分離させることにより、固定片が把手となるようになした。
【０００７】
又、本願請求項２記載の発明では、上記請求項１記載のキャビネットにおいて、分離片が、開閉前面板の縁部を軸にして後側に回動して固定片から分離されるようになしたことを特徴としている。
【０００８】
又、本願請求項３記載の発明では、上記請求項１又は２記載のキャビネットにおいて、両開閉前面板が上下に隣り合っていることを特徴としている。
【０００９】
又、本願請求項４記載の発明では、上記請求項１〜３のいずれか１項記載のキャビネットにおいて、開閉前面板が引出しの前面板であることを特徴としている。
【００１０】
又、本願請求項５記載の発明では、上記請求項１〜４のいずれか１項記載のキャビネットにおいて、両開閉前面板と両突出片とが各前側表面間で全て略面一に連続するよう構成したことを特徴としている。
【発明の効果】
【００１１】
本願請求項１記載の発明のキャビネットにおいては、両開閉前面板の互いに隣り合う両縁部から相互に対向するようにかつ近接するように突出片を突出させ、一の突出片がその先端部分を含む分離片と固定片とからなり、分離片を後側に押して固定片から分離させることにより、固定片が把手となるようになしているため、この固定片を把手として使用することで、一方の開閉前面板の開閉操作を容易に安定して行うことができ、しかも、その際、他の突出片を把手として使用することができ、他方の開閉前面板の開閉操作を容易に安定して行うこともできる。又、分離片が分離していない通常時においては、両開閉前面板の間に大きな隙間が形成されずに見栄えが良くなる。そして、大きな隙間が形成されないことにより、ホコリ等が溜まり難くなり、衛生的である。
【００１２】
本願請求項２記載の発明のキャビネットにおいては、特に、分離片が、開閉前面板の縁部を軸にして後側に回動することで、容易に固定片から分離されるようになしているため、容易に固定片を把手として使用することができる。これにより、開閉前面板の開閉操作を容易に安定して行うことができる。
【００１３】
本願請求項３記載の発明のキャビネットにおいては、特に、両開閉前面板が上下に隣り合っているため、上下の開閉前面板を容易に開閉することができる。
【００１４】
本願請求項４記載の発明のキャビネットにおいては、特に、開閉前面板が引出しの前面板であるため、開閉前面板を開閉操作することで引出しを出し入れすることができる。
【００１５】
本願請求項５記載の発明のキャビネットにおいては、特に、両開閉前面板と両突出片とが各前側表面間で全て略面一に連続するよう構成しているため、分離片が分離していない通常時の各前側表面間において、凹凸部が形成されなくなり、更に見栄えが良くなる。又、ホコリ等が更に溜まり難くなることで一層衛生的になる。
【発明を実施するための最良の形態】
【００１６】
以下、本願発明を添付図面に示す実施形態に基づいて説明する。
【００１７】
図１〜５は、本願請求項１〜５全てに対応した第一の実施形態であるキャビネットを示している。
【００１８】
このキャビネットは、隣り合う対の開閉前面板３を有し、この両開閉前面板３の互いに隣り合う両縁部から相互に対向するようにかつ近接するように突出片４を突出させ、一の突出片４がその先端部分を含む分離片５と固定片６とからなり、分離片５を後側に押して固定片６から分離させることにより、固定片６が把手となるものである。なお、分離片５は、開閉前面板３の縁部を軸にして後側に回動して固定片６から分離される。そして、開閉前面板３が引出し２の前面板であり、この両開閉前面板３が上下に隣り合っている。そして、両開閉前面板３と両突出片４とが各前側表面間で全て略面一に連続するよう構成されている。
【００１９】
以下、この実施形態のキャビネットをより具体的詳細に説明する。
【００２０】
このキャビネットは図１〜５で示すように、キャビネット本体部１と、引出し２と、開閉前面板３と、突出片４と、からなる。
【００２１】
キャビネット本体部１は略直方体状で木材等からなり、前側の面には開口を有する。このキャビネット本体部１は大きさの異なる２つの引出し２を上下に備えている。この引出し２は木材等からなり、キャビネット本体部１に対して出し入れ自在になっており、前方に引出すことで物品の出し入れを可能とし、後方に押し込むことでキャビネット本体部１に収納される。上下の引出し２の前端縁部にはキャビネット前側の面の開口を塞ぐための開閉前面板３が備えられている。この開閉前面板３は略長方形状で木材等からなる。上下の開閉前面板３の互いに隣り合う両縁部からは、相互に対向するように突出片４が突出している。この両突出片４は金属等からなる。
【００２２】
下側の突出片４はその先端部分を含む分離片５と固定片６とからなる。そして、図５（ａ）に示すように、分離片５を後側に回動させて、固定片６から分離させることにより、上側の突出片４と固定片６との間に隙間ができ、そこから手を差し込むことで、固定片６に手を掛けることができる。又、図５（ｂ）に示すように、上側の突出片４と固定片６との間の隙間に手を差し込むことで、上側の突出片４に手を掛けることもできる。
【００２３】
固定片６は止め具７によって、後方に倒れないように固定されている。又、分離片５が後側に回動した後、自動的に分離片５が垂直状態になるようにするため、開閉前面板３の端部と分離片５の後側に丁番バネ８を設けている。両開閉前面板３と両突出片４とは各前側表面間で全て略面一に連続するよう構成されている。
【００２４】
したがって、この実施形態のキャビネットにおいては、両開閉前面板３の互いに隣り合う両縁部から相互に対向するようにかつ近接するように突出片４を突出させ、下側の突出片４がその先端部分を含む分離片５と固定片６とからなり、分離片５を後側に押して固定片６から分離させることにより、上側の突出片４と固定片６との間に隙間ができ、そこから手を差し込むことで、上側の突出片４又は固定片６に手を掛けることができるので、固定片６と上側の突出片４とを把手として使用することができ、開閉前面板３の開閉操作を容易に安定して行うことができる。又、分離片５が分離していない通常時においては、両開閉前面板３の間に大きな隙間が形成されずに見栄えが良くなる。そして、大きな隙間が形成されないことにより、ホコリ等が溜まり難くなり、衛生的である。
【００２５】
又、分離片５が、開閉前面板３の縁部を軸にして後側に回動することで、容易に固定片６から分離されるようになしているため、容易に上側の突出片４と下側の固定片６とを把手として使用することができる。これにより、開閉前面板３の開閉操作を容易に安定して行うことができる。
【００２６】
又、両開閉前面板３が上下に隣り合っているため、上下の開閉前面板３を容易に開閉することができる。
【００２７】
又、開閉前面板３が引出し２の前面板であるため、開閉前面板３を開閉操作することで引出し２を出し入れすることができる。
【００２８】
又、両開閉前面板３と両突出片４とが各前側表面間で全て略面一に連続するよう構成しているため、分離片５が分離していない通常時の各前側表面間において、凹凸部が形成されなくなり、更に見栄えが良くなる。又、ホコリ等が更に溜まり難くなることで一層衛生的になる。
【００２９】
図６、７は、本願請求項１〜５全てに対応した第二の実施形態であるキャビネットを示している。
【００３０】
なお、ここでは、上記第一の実施形態と相違する事項についてのみ説明し、その他の事項（構成、作用効果等）については、上記第一の実施形態と同様であるのでその説明を省略する。
【００３１】
このキャビネットは、図６、７に示すように、固定片６も開閉前面板３の縁部を軸にして後側に回動可能とし、止め具７を任意の高さにすることで、任意の位置で回動が抑止することを可能としている。そして、分離片５同様、固定片６が後側に回動した後、自動的に固定片６が垂直状態になるようにするため、開閉前面板３の端部と固定片６の後側に丁番バネ８を設けている。
【００３２】
したがって、分離片５だけでなく、固定片６を後側に押すことによっても固定片６と分離片５を分離させられ、固定片６と分離片５の間の隙間に手を入れることで固定片６又は分離片５に手を掛けることができるので、固定片６と分離片５とを把手として使用することができ、下側の開閉前面板３の開閉操作を容易に安定して行うことができる。
【００３３】
又、固定片６と分離片５とを同時に後側に回動させることができるので、分離片５のみを狙って押す必要がない。すなわち、固定片６と分離片５を含むような大雑把な範囲で下側の突出片４を押しても、固定片６によって引っかかったりすること無く、分離片５を後側に回動することが可能となる。これにより、固定片６又は上側の突出片４に手を掛けやすくなるので、より容易に開閉前面板３の開閉動作を行うことができる。
【図面の簡単な説明】
【００３４】
【図１】本願発明の第一の実施形態であるキャビネットを示す縦断面図。
【図２】同キャビネットを示す要部縦断面図。
【図３】同キャビネットの固定片と回動している状態の分離片を示す要部斜視図。
【図４】同キャビネットの回動している状態の分離片を示す要部側面図。
【図５】（ａ）は同キャビネットの固定片に手を掛けている状態を示す縦断図、（ｂ）は同キャビネットの上側の突出片に手を掛けている状態を示す縦断図。
【図６】本願発明の第二の実施形態であるキャビネットを示す要部縦断面図。
【図７】同キャビネットを示す要部斜視図。
【図８】従来例であるキャビネットを示す要部縦断面図。
【符号の説明】
【００３５】
１  キャビネット本体部
２  引出し
３  開閉前面板
４  突出片
５  分離片
６  固定片
７  止め具
８  丁番バネ
【図１】
2007195602.tif 000003
【図２】
2007195602.tif 000004
【図３】
2007195602.tif 000005
【図４】
2007195602.tif 000006
【図５】
2007195602.tif 000007
【図６】
2007195602.tif 000008
【図７】
2007195602.tif 000009
【図８】
2007195602.tif 000010